(57)【要約】
【課題】　複数のカードをコンパクトに体裁良く収納することができ、収納ケースへ出し入れすることによって、端子に付着した汚れを自動的にふき取ることが可能なカード収納ケースの提供。
【解決手段】　先端に開口部５を有すると共に、開口部５の内側に平板状の端子部を設けたカード１を収納するカード収納ケース６に関し、ケース６の内部に、カードの開口部５へ差し込んでカード１を支持するラック１６を複数設け、端子部と接触するラック１６の面に端子清拭片１７を装着してある。
【選択図】　　図１
0003099324.tif 000002
【実用新案登録請求の範囲】
【請求項１】
　記録媒体を扁平な外殻体に収納し、外殻体の開口部に外部接続用の端子を備えたカードを収納するケースであって、収納ケースの内部に、カードの開口部へ差し込んでカードを支持するラックを複数設け、ラックの端子と接触する側の面に端子清拭片を装着したことを特徴とするカード収納ケース。
【請求項２】
　ラックは収納ケースの内面に支持され内面と間隔をあけて平行に延びていることを特徴とした請求項１に記載のカード収納ケース。
【請求項３】
　ラックはカード収納ケース本体の内面に、内面と間隔をとり、その先端部が収納ケースの内面へ近づく方向に傾斜し、且つ、先端部と内面との間隔を広狭変化できるように弾性的に支持してあること特徴とした請求項１に記載のカード収納ケース。
【請求項４】
　収納ケースの内面を構成する板材を切り起こしてラックを形成してあることを特徴とした請求項１乃至３のいずれかひとつに記載のカード収納ケース。
【請求項５】
　ラックとその面に取り付けた端子清拭片に、カード差込方向の切り込みを入れ、カードの開口部に形成された仕切り壁が進入できる構造としてあることを特徴とした請求項１〜４の何れか一つに記載のカード収納ケース。
【請求項６】
　端子清拭片を交換可能としてあることを特徴とした請求項１〜５の何れか一つに記載のカード収納ケース。
【考案の詳細な説明】
【技術分野】
【０００１】
　本考案は、記録媒体（ＲＡＭ又はＲＯＭ）を扁平な外殻体に収納し、外部との接続用に端子を備えた全体をカードと呼ばれる部材の収納ケースに関する。
【背景技術】
【０００２】
　この種のカードは通常、端子及びその他の機能回路を一枚の基板に形成してこれに記録媒体を取り付けたものを合成樹脂の外殻体（ケース）内に納め、端子部分だけを外殻体の開口部に臨ませた構造となっているものが多い。
【０００３】
　端子部は本体端子部と接触してデータの出入り部となるから、良好な接触状態が維持されなければならない。このため、カードの端子は開口部の端縁よりも内側に位置して開口部周辺の外殻体壁によって護られ、手指など外部からの直接的な接触を少なくしている。しかし、カードを例えばゲーム機等の装置本体へ抜き差しするとき、不注意で端子表面に手指が接触してしまうことも多く、また、開口部の内側にあっても露出しているので、空気中の油性粒子や微細な塵が端子表面に付着する。このような環境でカードの端子を常時清浄な状態に維持するために、カードを収納する保護ケースの内部に端子清拭片を設けてカードが差し込まれると端子面に接触して清拭するものがある（特許文献１参照）。
【０００４】
　このような保護ケースでは、カードを出し入れするごとに端子表面が清拭され、常時良好な接触状態を維持することができる。
　一方、カードを一つずつ保護ケースに収納して保存すると雑然として整理しにくく必要なカードを探し出すのに時間を要することがある。特に、ゲーム関係のソフトを記憶したカードはシリーズものや途中データを記録したものなど、一連のものがあるので複数のカードを利用する上からは、カードを都合よくまとめた状態で収納しておけることが好ましい。
【０００５】
【特許文献１】特開２００１−３０７０４０号公報
【考案の開示】
【考案が解決しようとする課題】
【０００６】
　乱雑に放置されることが多いカードを整理でき、かつ、カードの端子部を常時清浄に維持できる手段の提供。
【課題を解決するための手段】
【０００７】
　複数のカードを収納できると共にカードの出し入れにともなってカードの端子が清拭される構造を備えたカード収納ケースを提供する。
【考案の効果】
【０００８】
　複数のカードをコンパクトに整理良く保管することができる。
　カードをカード収納ケースへ出し入れする際に、カードの端子部はラックに設けた端子清拭片と接触して自動的に清拭されるため、カードの端子部を常時清浄に維持しておくことができる。
【考案を実施するための最良の形態】
【０００９】
　複数のカードを収納できる大きさを備えたカード収納ケースとする。大きさは例えば、平面視Ａ５、高さ（厚さ）１５〜２０ｍｍ程度の容積を有したもので本を開くように開閉できる形式のものが好ましい。これは現在のゲーム用ＤＶＤ収納ケースの規模であるが、このように他の記憶媒体用ケースと共に整理良く保管できる大きさ形態とすることが好ましい。
　収納ケースの内部に、ケース内面に支持させて、ケース内面と間隔をとったラックを複数設ける。ラックは、カードの前記開口部へ差し込んでカードを支持し、収納位置に維持するものである。
【００１０】
　ラックの内面あるいは外面には差し込まれるカードの端子と接触する端子清拭片を装着してある。端子清拭片は不織布、スポンジ、吸水シート等である。必要に応じて、清拭を補助する溶剤や洗剤を含ませる。
　ラックは、別部材として成形した部品を収納ケースの内面に接着固定したり、収納ケースの内面を構成する合成樹脂材をプレス成形したり、あるいは切り起すなどして形成することができる。
【００１１】
　ラックの形態は、収納ケースの内面に支持されケースの内面と平行に立ち上がる部分であることが基本である。しかし、ラックあるいはラックを支持する部分を弾性的に構成して、ラックの上端部とケース内面との間を広狭操作できるようにし、収納ケースを振ったり、逆にするなど乱暴な扱いをしても、ラックに係合したカードがラックから抜け落ちないようにすることもできる。
【００１２】
　さらに、カードには外殻体の開口部に区画壁を有するものがあるので、このようなカードも支障なく収容できるように、ラックとこれに装着する端子清拭片に、カード差込方向の切り込みを設けておくことがある。この切り込みは櫛歯のように設けて汎用性を持たせる場合と特定のカードに対応させて、その区画壁の位置に設けておく場合とがある。
【実施例１】
【００１３】
　図１乃至図３は、本考案の第１の実施形態を示し、図４はこれを利用するカードである。
　まず、カード１（図４）は、合成樹脂で成形した外殻体２の内部に回路基板３を封入してある。回路基板３には機能回路部と結線回路が形成されこれにＲＡＭあるいはＲＯＭなどの記憶媒体がマウントしてある。機能回路部は回路基板３の端縁に沿って接点を整列させた端子部４を備える。端子部４は全体として剛性であり、装置本体との接続のために外殻体２の開口部５に露出している。端子部４は開口部５に露出しているが、外殻体２の周囲壁よりも引っ込んだ位置となっている。
【００１４】
　カード収納ケース６は、本体７とラック部材８とからなる。本体７は、この実施形態において、通常のＤＶＤ収納ケースと同様にポリプロピレンなどの合成樹脂で、同じ形状・寸法（幅１４cm、長さ１９cm、厚さ１．５cm程度）に形成してある。収容部９と蓋部１０とが蝶番部１１でつながった構造となっている。したがって、本を開閉するように蓋部１０を蝶番部１１で回動して収容部９を閉じることができる。
【００１５】
　収容部９は、上辺と下辺及び開き側の縦辺に立ち上がり壁１２を設けて蓋部１０を閉じたとき収容ケースとしての形態を維持できるようにすると共に、蓋部１０を閉じると内部が見えないようにしている。
　蓋部１０の内面には図３のラック部材８を貼り付ける。ラック部材８は、ポリプロピレンなどの剛性とある程度の弾性を備えた樹脂製の板材１３に切り込み１４（破線）を入れ、その部分を手前に折り曲げて支持部１５を形成し、更に上方へ立ち上げる切り起し加工によってラック１６を形成してある。それぞれのラック１６は、基本的に板材１３の面と平行となる。また、それぞれのラック１６の内面に端子清拭片１７（洗剤を含ませた不織布）を貼り付けてラック部材８を完成する。洗剤は乾燥したら随時補給することができる。
【００１６】
　ラック１６の高さ寸法ｄ１や幅寸法ｄ２及び内板１１の面からの距離ｄ３などはこれを利用するカード１の開口部５の大きさに合わせ、カード１の開口部５にラック１６が差し込まれたとき、ラック内面の端子清拭片１７がカード１の端子部４における各接点と接触し、且つ、ラック１６あるいは支持部１５が備えた弾性によってカード１がラック部材８側へ押し付けられる状態とする。
【００１７】
　なお、素材段階の板材１３の裏面に不織布を予め貼り付けておいてから、切り込み１４を入れてこの部分を切り起し、ラック１６を形成した後にその内面の不織布に洗剤を含浸させて端子清拭片１７とする手順であっても良い。
　蓋部１０は、上辺と下辺及び開き側の縦片にリブ１８を設けて、蓋部１０を閉じたとき収容部９の立ち上がり壁１２とで隙間が生じないようにしている。
【００１８】
　以上の構成であって、カード１はラック１６へ開口部５から差し込んでカード収容ケース６に収納する。カード１は差し込むときと取り出すときに端子部分４の接点が端子清拭片１７によって清拭される。
　また、カード収納ケース６は、複数のカード１を収納できるので、関連する内容のカード１を集めて、整理良く保管することができる。
　収納しようとするカード１の寸法（特に開口部の寸法）が異なるときは、適合したラック１６を備えたラック部材８を利用する。ラック部材８だけ交換し同じ本体７を利用してカード収納ケース６とすることができる。
【実施例２】
【００１９】
　図５は、第２の実施形態であり、ラック１６の部分を示している。
　ラック１６は、前記と同様にラック部材８の基体である板材１３の切り込み１４から手前に曲げて支持部１５を作り、その先端部を立ち上げることによって形成してある。ラック１６は次第に板体１３の面へ近づくよう傾斜させて折り曲げ、先端部で板材１３との間隔を小さくしてある（図５イ）。
【００２０】
　カード１を差し込むときは、ラック１６を支持部１５の弾性を利用して開き、カード１を差し込む操作となる。場合によっては、差し込むときに手を添える必要があるが、カード１はラック１６でしっかりと挟まれ、カード収容ケース６を少々乱暴に扱っても内部のカード１がラック１６から外れてしまうということがない（図５ロ）。端子清拭片１７はここでは不織布ではなく、紐状のもの１９を貼り付けている。紐状の場合、貼着する作業などで布よりも扱いやすい。
【００２１】
　なお、図５（ハ）のように端子清拭片１７をリングに形成しておいて、ラック１６にはめ込んで利用することもできる。このようにすると利用者が端子清拭片１７を取り替えるのも簡単であり、また、汚れた部分を回動して新しい部分を端子部４と接触させるようにすることもできる。ラック１６の両側に少し深めの溝２２を形成してラック１６に対するリングの位置決めをしておくと、カード１の抜き差しで端子清拭片１７が抜け出てきたり、下方へ押し込まれたりすることが少なくなる。
【実施例３】
【００２２】
　図６は、カード１の他の形態を示したもので、外殻体２は開口部５に開口部５を横断する仕切り壁２０を備えている。符号４は端子部分である。図７のラック１６は、このような仕切り壁２０を有するカード１に対応させたもので、この発明の第３の実施形態である。この形態では、ラック１６の部分にカード１が抜き差しされる方向にスリット２１が切り込みにより形成されている。符合１７は端子清拭片であり、分割されたラック１６の各片に対応して貼着してある。
　なお、スリット２１は対応させたカード１の仕切り壁２１の位置にだけ設けてもよいし、図のように多数を設けておいて、数種の仕切り壁位置に対応できるようにしておくこともできる。
【実施例４】
【００２３】
　以上、幾つかの実施形態について説明したが、さらに、本体７の外面にカバーなどを被せる場合は、本体７とラック部材８を別体にすることなく、本体７を構成する板材から直接にラック１６を切起しても良い。
　また、カード収納ケース６の収容部が深い場合には、蓋部１０の内面にもラック１６を形成し、カード１を２段に重ねて収納することもできる。
　端子清拭片１７をラック１６へ取り付ける態様は、他にも種々の手段を用いることができる。
【図面の簡単な説明】
【００２４】
【図１】第１の実施形態を示すカード収納ケース及びカードの斜視図。
【図２】ラック部分の断面による側面図。
【図３】ラック部材の斜視図。
【図４】カードの例を示した斜視図。
【図５】（イ）（ロ）は、ラック部分の断面による側面図（第２の実施形態）。（ハ）は、同斜視図。
【図６】カードの他の例を示した斜視図
【図７】ラック部分の斜視図（第３の実施形態）
【符号の説明】
【００２５】
　１　カード
　２　外殻体
　３　回路基板
　４　端子部分
　５　開口部
　６　カード収納ケース
　７　本体
　８　ラック部材
　９　収容部
　１０　蓋部
　１１　蝶番部
　１２　立ち上がり壁
　１３　板材
　１４　切り込み
　１５　支持部
　１６　ラック
　１７　端子清拭片
　１８　リブ
　１９　紐状のもの
　２０　仕切り壁
　２１　スリット
【図１】
0003099324.tif 000003
【図２】
0003099324.tif 000004
【図３】
0003099324.tif 000005
【図４】
0003099324.tif 000006
【図５】
0003099324.tif 000007
【図６】
0003099324.tif 000008
【図７】
0003099324.tif 000009